(57)【特許請求の範囲】
【請求項１】
静止画を撮影する撮影手段と、
前記撮影手段により撮影された画像の再生表示を行うとともに、被写体画像の逐次表示を行う表示手段と、
前記表示手段による被写体画像の逐次表示を行うか否かを設定する第１の設定手段と、
前記撮影手段によって一枚ずつ撮影を行う単写モードと、前記撮影手段によって連続して撮影を行う連写モードの一方を設定する第２の設定手段と、
前記撮影手段による撮影後に撮影画像を前記表示手段に自動的に表示させるクイックレビュー手段と、
前記クイックレビュー手段による動作を行うか否かを設定する第３の設定手段と、
前記第１の設定手段により前記表示手段による被写体画像の逐次表示を行うことが設定された場合には、前記第２の設定手段の設定状態および前記第３の設定手段の設定状態に関わらず、撮影後に前記クイックレビュー手段による動作を行うように制御し、
前記第１の設定手段により前記表示手段による被写体画像の逐次表示を行わないことが設定され、前記第２の設定手段により前記単写モードが設定され、かつ前記第３の設定手段により前記クイックレビュー手段による動作を行うことが設定された場合には、前記単写モードによる撮影後に前記クイックレビュー手段による動作を行うように制御し、
前記第１の設定手段により前記表示手段による被写体画像の逐次表示を行わないことが設定され、かつ前記第２の設定手段により前記連写モードが設定された場合には、前記第３の設定手段の設定状態に関わらず、前記連写モードによる撮影中は前記クイックレビュー手段による動作を行わないように制御する制御手段と、を有することを特徴とする画像処理装置。
【発明の詳細な説明】
【０００１】
【発明の属する技術分野】
本発明は、静止画像や動画像を撮像、記録、再生する画像処理装置及びその置制御方法に関する。
【０００２】
【従来の技術】
従来、固体メモリ素子を有するメモリカードを記録媒体として、静止画像や動画像を記録再生する電子カメラ等の画像処理装置が市販されており、カラー液晶パネル等の電子ファインダーを備える電子カメラも販売されている。
【０００３】
これらの電子カメラによれば、撮影前の画像を連続して表示して電子カメラの使用者が構図を決定することや、撮影した画像を再生表示して確認することが可能である。
【０００４】
特に、撮影した画像を撮影直後に再生する機能(クイックレビュー)は利便性が高く、電子カメラの使用者にとって有益な機能となっている。
【０００５】
連写時においても、一枚撮影する毎に、撮影した画像を再生表示する電子カメラも一般的となっている。
【０００６】
【発明が解決しようとする課題】
このような従来の電子カメラ等の画像処理装置においては、光学ファインダーを用いて連写撮影を行った場合に、一枚撮影する毎にクイックレビューにより撮影画像がカラー液晶パネル等の表示装置に表示されても、被写体を確認するために光学ファインダーを覗いているため、クイックレビュー画像を見ることができないという問題があった。
【０００７】
また、光学ファインダー使用時の連写撮影において、クイックレビュー時に、光学ファインダーの近傍にあるカラー液晶パネル等が点灯するため、点灯した光が目に入り撮影に集中できないという問題があった。
【０００８】
また、クイックレビュー画像を見ることが困難であるにも関わらず、カラー液晶パネル等の表示装置の電源が入ることにより、電池が無駄に消耗するという問題があった。
【０００９】
また、クイックレビュー処理が行われことによって連写撮影の撮影間隔が長くなるという問題があった。
【００１０】
【課題を解決するための手段】
上記課題を解決するために、本発明の画像処理装置は、静止画を撮影する撮影手段と、前記撮影手段により撮影された画像の再生表示を行うとともに、被写体画像の逐次表示を行う表示手段と、前記表示手段による被写体画像の逐次表示を行うか否かを設定する第１の設定手段と、前記撮影手段によって一枚ずつ撮影を行う単写モードと、前記撮影手段によって連続して撮影を行う連写モードの一方を設定する第２の設定手段と、前記撮影手段による撮影後に撮影画像を前記表示手段に自動的に表示させるクイックレビュー手段と、前記クイックレビュー手段による動作を行うか否かを設定する第３の設定手段と、前記第１の設定手段により前記表示手段による被写体画像の逐次表示を行うことが設定された場合には、前記第２の設定手段の設定状態および前記第３の設定手段の設定状態に関わらず、撮影後に前記クイックレビュー手段による動作を行うように制御し、前記第１の設定手段により前記表示手段による被写体画像の逐次表示を行わないことが設定され、前記第２の設定手段により前記単写モードが設定され、かつ前記第３の設定手段により前記クイックレビュー手段による動作を行うことが設定された場合には、前記単写モードによる撮影後に前記クイックレビュー手段による動作を行うように制御し、前記第１の設定手段により前記表示手段による被写体画像の逐次表示を行わないことが設定され、かつ前記第２の設定手段により前記連写モードが設定された場合には、前記第３の設定手段の設定状態に関わらず、前記連写モードによる撮影中は前記クイックレビュー手段による動作を行わないように制御する制御手段と、を有することを特徴とする。
【００１２】
【発明の実施の形態】
（第１の実施形態）
以下、図面を参照して本発明の実施形態を説明する。
【００１３】
図７は、本発明を適用できる画像処理装置(電子カメラ)の背面図の一例である。104は被写体の構図を光学式レンズを通して確認するための光学ファインダ、63は撮影動作を行うことを画像処理装置に指示するシャッターボタンである。28はカラー液晶パネル等の画像表示部であり、撮影した画像の再生や、電子ファインダー機能を使用する場合に被写体の画像の逐次表示が行われる。66は画像表示ON/OFFスイッチで、このスイッチにより電子ファインダ28の表示をON/OFFすることができる。撮影者は光学ファインダと電子ファインダの、どちらを用いて撮影を行うかを選択可能である。撮影者が撮影時に被写体の構図を決めるため、光学ファインダ104を覗いている場合はカラー液晶パネル28を見ることが出来ない。
【００１４】
図１は、画像処理装置の構成を示すブロック図である。図1において、100は画像処理装置である。10は撮影レンズ、12は絞り機能を備えるシャッタ、14は光学像を電気信号に変換する撮像素子、16は撮像素子14のアナログ信号出力をディジタル信号に変換するＡ／Ｄ変換器である。
【００１５】
18は撮像素子14、Ａ／Ｄ変換器16、Ｄ／Ａ変換器26にクロック信号や制御信号を供給するタイミング発生回路であり、メモリ制御回路22及びシステム制御回路50により制御される。
【００１６】
20は画像処理回路であり、Ａ／Ｄ変換器16からのデータ或いはメモリ制御回路22からのデータに対して所定の画素補間処理や色変換処理を行う。また、画像処理回路20は、撮像した画像データを用いて所定の演算処理を行い、システム制御回路50は画像処理回路20による演算結果に基づいて露光制御回路40、測距制御回路42を制御して、TTL（スルー・ザ・レンズ）方式のＡＦ（オートフォーカス）処理、ＡＥ（自動露出）処理、ＥＦ（フラッシュプリ発光）処理を行っている。
【００１７】
さらに、画像処理回路20においては、撮像した画像データを用いて所定の演算処理を行い、得られた演算結果に基づいてTTL方式のAWB（オートホワイトバランス）処理も行っている。
【００１８】
22はメモリ制御回路であり、Ａ／Ｄ変換器16、タイミング発生回路18、画像処理回路20、画像表示メモリ24、Ｄ／Ａ変換器26、メモリ30、圧縮・伸長回路32を制御する。Ａ／Ｄ変換器16のデータが画像処理回路20、メモリ制御回路22を介して、或いはＡ／Ｄ変換器16のデータが直接メモリ制御回路22を介して、画像表示メモリ24或いはメモリ30に書き込まれる。
【００１９】
24は画像表示メモリ、26はＤ／Ａ変換器、28はTFT LCD等から成る画像表示部であり、画像表示メモリ24に書き込まれた表示用の画像データはＤ／Ａ変換器26を介して画像表示部28により表示される。画像表示部28を用いて撮像した画像データを逐次表示すれば、電子ファインダー機能を実現することが可能である。また、画像表示部28は、システム制御回路50の指示により任意に表示をON/OFFすることが可能であり、表示をOFFにした場合には画像処理装置100の電力消費を大幅に低減することが出来る。
【００２０】
30は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ30に対して行うことが可能となる。また、メモリ30はシステム制御回路50の作業領域としても使用することが可能である。
【００２１】
32は適応離散コサイン変換（ADCT）等により画像データを圧縮伸長する圧縮・伸長回路であり、メモリ30に格納された画像を読み込んで圧縮処理或いは伸長処理を行い、処理を終えたデータをメモリ30に書き込む。
【００２２】
40は絞り機能を備えるシャッター12を制御する露光制御回路であり、フラッシュ48と連携することによりフラッシュ調光機能も有するものである。
【００２３】
42は撮影レンズ10のフォーカシングを制御する測距制御回路、44は撮影レンズ10のズーミングを制御するズーム制御回路、46はレンズバリアである保護部材102の動作を制御するバリア制御回路である。48はフラッシュであり、AF補助光の投光機能、フラッシュ調光機能も有する。
【００２４】
露光制御回路40、測距制御回路42はTTL方式を用いて制御されており、撮像した画像データを画像処理回路20による演算結果に基づき、システム制御回路50が露光制御回路40、測距制御回路42に対して制御を行う。
【００２５】
50は画像処理装置100全体を制御するシステム制御回路、52はシステム制御回路50の動作用の定数、変数、プログラム等を記憶するメモリである。
【００２６】
54はシステム制御回路50でのプログラムの実行に応じて、文字、画像、音声等を用いて動作状態やメッセージ等を表示する液晶表示装置、スピーカー等の表示部であり、画像処理装置100の操作部近辺の視認し易い位置に単数或いは複数個所設置され、例えばLCDやLED、発音素子等の組み合わせにより構成されている。また、表示部54は、その一部の機能が光学ファインダー104内に設置されている。表示部54の表示内容のうち、LCD等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体200及び210の着脱状態表示、通信I/F動作表示、日付・時刻表示等がある。また、表示部54の表示内容のうち、光学ファインダー104内に表示するものとしては、合焦表示、手振れ警告表示、フラッシュ充電表示、シャッタースピード表示、絞り値表示、露出補正表示等がある。
【００２７】
56は電気的に消去・記録可能な不揮発性メモリであり、例えばEEPROM等が用いられる。
【００２８】
60，62，64，66，68及び70は、システム制御回路50の各種の動作指示を入力するための操作手段であり、スイッチやダイアル、タッチパネル、視線検知によるポインティング、音声認識装置等の単数或いは複数の組み合わせで構成される。
【００２９】
ここで、これらの操作部材の具体的な説明を行う。60はモードダイアルスイッチで、電源オフ、自動撮影モード、撮影モード、パノラマ撮影モード、再生モード、マルチ画面再生・消去モード、PC接続モード等の各機能モードを切り替え設定することが出来る。
【００３０】
62はシャッタースイッチSW1で、不図示のシャッターボタンの所定量の押下でONとなり、ＡＦ処理、ＡＥ処理、ＡＷＢ処理、ＥＦ処理等の動作開始を指示する。
【００３１】
64はシャッタースイッチSW2で、不図示のシャッターボタンの押下操作完了でONとなり、撮像素子12から読み出した信号をＡ／Ｄ変換器16、メモリ制御回路22を介してメモリ30に画像データを書き込む露光処理、画像処理回路20やメモリ制御回路22での演算を用いた現像処理、メモリ30から画像データを読み出し、圧縮・伸長回路32で圧縮を行い、記録媒体200或いは210に画像データを書き込む記録処理という一連の処理の動作開始を指示する。
【００３２】
66は画像表示ON/OFFスイッチで、画像表示部28の表示/非表示を設定することが出来る。この機能により、光学ファインダー104を用いて撮影を行う際に、TFT LCD等から成る画像表示部への電流供給を遮断することにより、省電力を図ることが可能となる。
【００３３】
68はクイックレビューON/OFFスイッチで、撮影直後に撮影した画像データを自動再生するクイックレビュー機能の設定／解除を行う。なお、本実施形態では特に、画像表示部28をOFFとした場合におけるクイックレビュー機能の設定をする機能を備えるものとする。
【００３４】
70は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン、メニュー移動＋(プラス)ボタン、メニュー移動−(マイナス)ボタン、再生画像移動＋(プラス)ボタン、再生画像−(マイナス)ボタン、撮影画質選択ボタン、露出補正ボタン、日付/時間設定ボタン等がある。
【００３５】
80は電源制御回路で、電池検出回路，DC-DCコンバータ，通電するブロックを切り替えるスイッチ回路等により構成されており、電池の装着の有無，電池の種類，電池残量の検出を行い、検出結果及びシステム制御回路50の指示に基づいてDC-DCコンバータを制御し、必要な電圧を必要な期間だけ記録媒体を含む各部へ供給する。
【００３６】
82，84はコネクタ、86はアルカリ電池やリチウム電池等の一次電池やNiCd電池やNiMH電池、Li電池等の二次電池、ACアダプター等からなる電源である。
【００３７】
90及び94はメモリカードやハードディスク等の記録媒体とのインターフェース、92及び96はメモリカードやハードディスク等の記録媒体と接続を行うコネクタ、98はコネクタ92及び或いは96に記録媒体200或いは210が装着されているか否かを検知する記録媒体着脱検知回路である。
【００３８】
なお、本実施形態では記録媒体を取り付けるインターフェース及びコネクタを2系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。インターフェース及びコネクタとしては、PCMCIAカードやCF（コンパクトフラッシュ）カード等の規格に準拠したものを用いて構成して構わない。
【００３９】
さらに、インターフェース90及び94そしてコネクタ92及び96をPCMCIAカードやCF（コンパクトフラッシュ）カード等の規格に準拠したものを用いて構成した場合、LANカードやモデムカード、USBカード、IEEE1394カード、P1284カード、SCSIカード、PHS等の通信カード、等の各種通信カードを接続することにより、他のコンピュータやプリンタ等の周辺機器との間で画像データや画像データに付属した管理情報を転送し合うことが出来る。
【００４０】
102は、画像処理装置100のレンズ１０を含む撮像部を覆う事により、撮像部の汚れや破損を防止するバリアである保護部材である。104は光学ファインダであり、画像表示部28による電子ファインダー機能を使用すること無しに、光学ファインダーのみを用いて撮影を行うことが可能である。また、光学ファインダー104内には、表示部54の一部の機能、例えば、合焦表示，手振れ警告表示，フラッシュ充電表示，シャッタースピード表示，絞り値表示，露出補正表示などを行う素子が設置されている。
【００４１】
110は通信回路で、RS232CやUSB、IEEE1394、P1284、SCSI、モデム、LAN、無線通信等の各種通信機能を有する。112は通信回路110二より画像処理装置100を他の機器と接続するコネクタであり、無線通信の場合はアンテナが用いられる。
【００４２】
200はメモリカードやハードディスク等の記録媒体である。記録媒体200は、半導体メモリや磁気ディスク等から構成される記録部202，画像処理装置100とのインターフェース204，画像処理装置100と接続を行うコネクタ206を備えている。210はメモリカードやハードディスク等の記録媒体である。記録媒体210は、半導体メモリや磁気ディスク等から構成される記録部212，画像処理装置100とのインターフェース214，画像処理装置100と接続を行うコネクタ216を備えている。
【００４３】
図2乃至図６を参照して、本実施形態の動作を説明する。図２及び図3は画像処理装置100の主ルーチンのフローチャートを示し、これらを用いて、画像処理装置100の動作を説明する。
【００４４】
電池交換等の電源投入により、システム制御回路50はフラグや制御変数等を初期化し(S101)、画像表示部28の画像表示をOFF状態に初期設定する(S102)。システム制御回路50は、モードダイアル60の設定位置を判断し(S103)、モードダイアル60が電源OFFに設定されていたならば、各表示部の表示を終了状態に変更し、保護部材102のバリアを閉じて撮像部を保護し、フラグや制御変数等を含む必要なパラメータや設定値，設定モードを不揮発性メモリ56に記録し、電源制御回路80により画像表示部28を含む画像処理装置100各部の不要な電源を遮断する等の所定の終了処理を行い(S105)、その後S103に戻る。
【００４５】
モードダイアル60が撮影モードに設定されていたならば、S106に進む。モードダイアル60がその他のモードに設定されていたならば、システム制御回路５０は選択されたモードに応じた処理を実行し(S104)、処理を終えたならばS103に戻る。
【００４６】
システム制御回路50は、電源制御回路80により電源86の残容量や動作情況が画像処理装置100の動作に問題があるか否かを判断し(S106)、問題があるならば表示部54を用いて画像や音声により所定の警告表示を行い(S108)、S103に戻る。
【００４７】
電源86に問題が無いならば、システム制御回路50は記録媒体200或いは210の動作状態が画像処理装置100の動作、特に記録媒体に対する画像データの記録再生動作に問題があるか否かを判断し(S107)、問題があるならば表示部54を用いて画像や音声により所定の警告表示を行い(S108)、S103に戻る。
【００４８】
記録媒体200或いは210の動作状態に問題が無いならば(S107)、表示部54を用いて画像や音声により画像処理装置100の各種設定状態の表示を行う(S109)。なお、画像表示部28の画像表示がONに設定されていれば、画像表示部28も用いて画像や音声により画像処理装置100の各種設定状態の表示を行う。
【００４９】
システム制御回路50は、次にクイックレビューON/OFFスイッチ68の設定状態を調べ(S110)、クイックレビューONに設定されていたならばクイックレビューフラグを設定し(S111)、クイックレビューOFFに設定されていたならばクイックレビューフラグを解除する(S112)。なお、クイックレビューフラグの状態は、システム制御回路50の内部メモリ或いはメモリ52に記憶する。
【００５０】
続いて、システム制御回路50は、画像表示ON/OFFスイッチ66の設定状態を調べ(S113)、画像表示ONに設定されていたならば、画像表示フラグを設定すると共に(S114)、画像表示部28の画像表示をON状態に設定し(S115)、さらに撮像した画像データを逐次表示するスルー表示状態に設定して(S116)、S119に進む。スルー表示状態に於いては、撮像素子12，Ａ／Ｄ変換器16，画像処理回路20，メモリ制御回路22を介して、画像表示メモリ24に逐次書き込まれたデータをメモリ制御回路22，Ｄ／Ａ変換器26を介して画像表示部28により逐次表示することにより、電子ファインダー機能を実現している。
【００５１】
画像表示ON/OFFスイッチ66が画像表示OFFに設定されていたならば、画像表示フラグを解除すると共に(S117)、画像表示部28の画像表示をOFF状態に設定して(S118)、S119に進む。画像表示OFFの場合は、画像表示部28による電子ファインダー機能を使用せず、光学ファインダー104を用いて撮影を行う。この場合、電力消費量の大きい画像表示部28やＤ／Ａ変換器26等の消費電力を削減することが可能となる。
【００５２】
なお、画像表示フラグの状態はシステム制御回路50の内部メモリ或いはメモリ52に記憶する。
【００５３】
次にシャッタースイッチSW1が押されているか否かを判断し(S119)、押されていなければS103に戻る。シャッタースイッチSW1が押されたならば、システム制御回路50はシステム制御回路50の内部メモリ或いはメモリ52に記憶される画像表示フラグの状態を判断し(S120)、画像表示フラグが設定されていたならば画像表示部28の表示状態をフリーズ表示状態に設定して(S121)、S122に進む。フリーズ表示状態に於いては、撮像素子12，Ａ／Ｄ変換器16，画像処理回路20，メモリ制御回路22を介した画像表示メモリ24の画像データ書き換えを禁止し、最後に書き込まれた画像データをメモリ制御回路22，Ｄ／Ａ変換器26を介して画像表示部28により表示することにより、フリーズした映像を電子ファインダーに表示している。画像表示フラグが解除されていたならば、S122に進む。
【００５４】
システム制御回路50は、測距処理を行って撮影レンズ10の焦点を被写体に合わせ、測光処理を行って絞り値及びシャッター時間を決定する(S122)。測光処理に於いて、必要であればフラッシュの設定も行う。この測距・測光処理S122の詳細は後述する。
【００５５】
測距・測光処理(S122)を終えたならば、システム制御回路50はシステム制御回路50の内部メモリ或いはメモリ52に記憶される画像表示フラグの状態を判断し(S123)、画像表示フラグが設定されていたならば画像表示部28の表示状態をスルー表示状態に設定して(S124)、S125に進む。なお、S124でのスルー表示状態は、S116でのスルー状態と同じ動作状態である。
【００５６】
次にシャッタースイッチSW2が押されているか否かを判断し(S125)、シャッタースイッチSW2が押されていない場合、さらにシャッタースイッチSW1が押されているか否かを判断し(S126)、シャッタースイッチSW1も解除されていれば、S103に戻る。
【００５７】
シャッタースイッチSW2が押されたならば、システム制御回路50はシステム制御回路50の内部メモリ或いはメモリ52に記憶される画像表示フラグの状態を判断し(S127)、画像表示フラグが設定されていたならば画像表示部28の表示状態を固定色表示状態に設定して(S128)、S129に進む。
【００５８】
固定色表示状態に於いては、撮像素子12，Ａ／Ｄ変換器16，画像処理回路20，メモリ制御回路22を介して画像表示メモリ24に書き込まれた撮影画像データの代わりに、差し替えた固定色の画像データをメモリ制御回路22，Ｄ／Ａ変換器26を介して画像表示部28により表示することにより、固定色の映像を電子ファインダーに表示している。画像表示フラグが解除されていたならば、S129に進む。
【００５９】
システム制御回路50は、撮像素子12，Ａ／Ｄ変換器16，画像処理回路20，メモリ制御回路22を介して或いはＡ／Ｄ変換器16から直接メモリ制御回路22を介してメモリ30に撮影した画像データを書き込む露光処理及びメモリ制御回路22及び必要に応じて画像処理回路20を用いてメモリ30に書き込まれた画像データを読み出して各種処理を行う現像処理からなる撮影処理を実行する(S129)。この撮影処理Ｓ１２９の詳細は後述する。
【００６０】
撮影処理後システム制御回路50の内部メモリ或いはメモリ52に記憶される画像表示フラグの状態を判断し(S130)、画像表示フラグが設定されていたならばクイックレビュー表示を行う(S134)。この場合は、撮影中も画像表示部28が電子ファインダーとして常に表示された状態であり、クイックレビューフラグの状態に拘わらず撮影直後のクイックレビュー表示も行われる。画像表示フラグが解除されていたならば、システム制御回路50の内部メモリ或いはメモリ52に記憶される連写フラグの状態を判断する(S131)。S131で連写撮影中のときは画像表示部28がOFFの状態のままS135に進む。この場合は、撮影を行った後でも画像表示部28は消えたままであり、クイックレビュー表示も行われない。
【００６１】
一方、Ｓ１３１で連写撮影中ではない場合、つまり単写モードのときには、システム制御回路５０の内部メモリ或いはメモリ５２に記憶されるクイックレビューフラグの状態を判断する（Ｓ１３２）。クイックレビューフラグが設定されていたならば、画像表示部２８の画像表示をＯＮ状態に設定し（Ｓ１３３）、クイックレビュー表示を行う（Ｓ１３４）。
【００６２】
このように、本実施形態によれば、光学ファインダー104を用いて連続撮影を行うときに、被写体の構図を決めるために光学ファインダー104を覗き続けているため、画像表示部28見ることが困難であるにもかかわらず、クイックレビューが画像表示部28に次々表示されるといった事態を回避することが可能となる。また、光学ファインダー104を用いて連続撮影を行っているときに、クイックレビュー行うために、覗いている光学ファインダー104の近傍にある画像表示部28が点灯することによって、目がチカチカし撮影に集中できないといった事態を回避することが可能となる。同時に、省電力の観点からも、光学ファインダー104を用いて連写を行っているときに、クイックレビューを行わないことは非常に有益である。
【００６３】
このように、省電力のために或いは光学ファインダー104を用いて撮影を行うので電子ファインダー機能が不要であるために、画像表示部28の画像表示をOFFに設定していても、クイックレビュースイッチによりクイックレビュー機能が設定されていれば、単写撮影時には、撮影を行った直後に自動的に撮影画像を画像表示部28に再生することが可能となり、省電力かつ撮影画像の確認に便利な機能を提供することが可能となる。
【００６４】
クイックレビュー後システム制御回路50は、メモリ30に書き込まれた撮影画像データを読み出して、メモリ制御回路22そして必要に応じて画像処理回路20を用いて各種画像処理を行い、圧縮・伸長回路32を用いて設定したモードに応じた画像圧縮処理を行った後、記録媒体200或いは210へ画像データの書き込みを行う記録処理を実行する(S135)。この記録処理の詳細は後述する。
【００６５】
記録処理が終了した際に、シャッタースイッチＳＷ２が押されているか否かを判断し（Ｓ１３６）、押されていればシステム制御回路５０はシステム制御回路５０の内部メモリ或いはメモリ５２に記憶される連写フラグの状態を判断し（Ｓ１３７）、連写フラグが設定されていたならば、連続して撮影を行うためにＳ１２９に戻り、次の撮影を行う。連写フラグが設定されていないならば、シャッタースイッチＳＷ２が放されるまで（Ｓ１３６）、現在の処理を繰り返す。
【００６６】
このように、本実施形態によれば、撮影直後にクイックレビュー表示を行う動作設定状態の場合に、記録処理が終了した際にシャッタースイッチSW2が押された状態であったならば、シャッタースイッチSW2が放されるまで画像表示部28におけるクイックレビュー表示を継続して撮影画像の確認を入念に行うことを可能とすることが出来る。記録処理が終了した際にシャッタースイッチSW2が放された状態であった、或いは、シャッタースイッチSW2を押し続けてクイックレビュー表示を継続して撮影画像の確認を行った後にシャッタースイッチSW2を放した状態であったならば、所定のミニマムレビュー時間が経過した後(S138)にS139に進む。このミニマムレビュー時間処理の詳細は後述する。
【００６７】
このように、画像表示部28におけるクイックレビュー表示を所定の時間継続することにより、撮影画像の確認を確実に行うことを可能とすると共に、不必要に長時間クイックレビュー表示を継続して次の撮影チャンスを失うことを防止することが出来る。
【００６８】
なお、このミニマムレビュー時間は、固定値或いは使用者が任意に設定する，或いは所定の範囲内で使用者が任意に設定或いは選択する等いずれの方法で設定しても構わない。
【００６９】
ミニマムレビュー時間経過後システム制御回路50は、画像表示フラグが設定されているか否かを判断し(S139)、設定されていれば画像表示部28の表示状態をスルー表示状態に設定して(S140)、S142に進む。この場合、画像表示部28でのクイックレビュー表示によって撮影画像を確認した後に、次の撮影のために撮像した画像データを逐次表示するスルー表示状態にすることが出来る。画像表示フラグが解除されていたならば、画像表示部28の画像表示をOFF状態にして(S141)、S142に進む。この場合、画像表示部28でのクイックレビュー表示によって撮影画像を確認した後に、省電力のために画像表示部28の機能を停止して、電力消費量の大きい画像表示部28やＤ／Ａ変換器26等の消費電力を削減することが可能となる。
【００７０】
その後シャッタースイッチSW1が押された状態であるか否かを判断し(S142)、押されたままであればシステム制御回路50は、S125に戻って次の撮影に備える。シャッタースイッチSW1が解除された状態であったならば、システム制御回路50は、一連の撮影動作を終えてS103に戻る。
【００７１】
図4は図3のS122における測距・測光処理の詳細なフローチャートである。以下測距・測光処理の詳細を説明する。
【００７２】
システム制御回路50は、撮像素子14から電荷信号を読み出し、Ａ／Ｄ変換器16を介して画像処理回路20に撮影画像データを逐次読み込む(S201)。この逐次読み込まれた画像データを用いて、画像処理回路20はTTL（スルー・ザ・レンズ）方式のAE（自動露出）処理、EF（フラッシュプリ発光）処理、AF（オートフォーカス）処理に用いる所定の演算を行っている。なお、ここでの各処理は、撮影した全画素数のうちの必要に応じた特定の部分を必要個所分切り取って抽出し、演算に用いている。これにより、TTL方式のAE，EF，AWB，AFの各処理において、中央重点測光モード，平均測光モード，評価測光モード等のモード毎に最適な演算を行うことが可能となる。
【００７３】
画像処理回路20での演算結果を用いて、システム制御回路50は露出（AE）が適正と判断されるまで(S202)、露光制御回路40を用いてAE制御を行う(S203)。AE制御で得られた測定データを用いて、システム制御回路50はフラッシュ発光が必要か否かを判断し(S204)、フラッシュが必要ならばフラッシュフラグをセットし、フラッシュ48を充電する(S205)。
【００７４】
S202で露出が適正と判断されたならば、測定データ及び或いは設定パラメータをシステム制御回路50の内部メモリ或いはメモリ52に記憶する。
【００７５】
次に画像処理回路20での演算結果及びAE制御で得られた測定データを用いて、システム制御回路50はホワイトバランス（AWB）が適正と判断されるまで(S206)、画像処理回路20を用いて色処理のパラメータを調節してAWB制御を行う(S207)。ホワイトバランス（AWB）が適正と判断したならば、測定データ及び或いは設定パラメータをシステム制御回路50の内部メモリ或いはメモリ52に記憶する。
【００７６】
次にAE制御及びAWB制御で得られた測定データを用いて、システム制御回路50は測距（AF）が合焦と判断されるまで(S208)、測距制御回路42を用いてAF制御を行う(S209)。被写体が合焦状態になれば、測定データ及び或いは設定パラメータをシステム制御回路50の内部メモリ或いはメモリ52に記憶し、測距・測光処理ルーチンS122を終了する。
【００７７】
図5は図3のS129における撮影処理の詳細なフローチャートである。以下、撮影処理の詳細を説明する。
【００７８】
システム制御回路50は、システム制御回路50の内部メモリ或いはメモリ52に記憶される測光データに従い、露光制御回路40によって絞り機能を有するシャッター12を絞り値に応じて開放して撮像素子10を露光する(S301、S302)。次にフラッシュフラグによりフラッシュ48の発光が必要か否かを判断し(S303)、必要な場合はフラッシュを発光させる(S304)。
【００７９】
システム制御回路50は、測光データに従って撮像素子12の露光終了を待ち(S305)、露光終了であればシャッター12を閉じて(S306)、撮像素子14から電荷信号を読み出し、Ａ／Ｄ変換器16，画像処理回路20，メモリ制御回路22を介して、或いはＡ／Ｄ変換器16から直接メモリ制御回路22を介して、メモリ30に撮影画像のデータを書き込む(S307)。
【００８０】
設定された撮影モードに応じて、フレーム処理を行う必要があるか否か判断し(S308)、必要であればシステム制御回路50は、メモリ制御回路22そして必要に応じて画像処理回路20を用いて、メモリ30に書き込まれた画像データを読み出して垂直加算処理，色処理を順次行い、その後、メモリ30に処理を終えた画像データを書き込む(S309，S310)。その後システム制御回路50は、メモリ30から画像データを読み出し、メモリ制御回路22を介して画像表示メモリ24に表示画像データの転送を行う(S311)。一連の処理を終えたならば、撮影処理ルーチンS129を終了する。
【００８１】
図6は、図3のS134における記録処理の詳細なフローチャートである。以下記録処理の詳細を説明する。
【００８２】
システム制御回路50は、メモリ制御回路22そして必要に応じて画像処理回路20を用いて、メモリ30に書き込まれた撮影画像データを読み出して撮像素子の縦横画素比率を１：１に補間する画素正方化処理を行い、メモリ30に処理を終えた画像データを書き込む(S401)。そして、メモリ30に書き込まれた画像データを読み出して、設定したモードに応じた画像圧縮処理を圧縮・伸長回路32で行い(S402)、インターフェース90或いは94、コネクタ92或いは96を介してメモリカードやコンパクトフラッシュカード等の記録媒体200或いは210へ圧縮した画像データの書き込みを行う(S403)。記録媒体への書き込みが終わったならば、記録処理ルーチンS134を終了する。
【００８３】
図８は、図３のS138におけるミニマムレビュー時間経過処理の詳細なフローチャートである。以下ミニマムレビュー時間経過処理の詳細を説明する。
【００８４】
システム制御回路５０は、画像表示フラグを判断し（Ｓ８０１）、画像表示フラグがセットされていたときには、Ｓ１３１でクイックレビューを開始してからあらかじめ決められた所定の時間だけレビュー表示を行う（Ｓ８０４）。画像表示フラグがセットされていなときはＳ８０２に進む。Ｓ８０２では連写モードかどうかを判定し、連写モードのときは何もしない。Ｓ８０２で単写モードであったときには、Ｓ８０３に進みクイックレビューフラグを判断する。クイックレビューフラグが設定されていたときは、Ｓ１３１でクイックレビューを開始してからあらかじめ決められた所定の時間だけレビュー表示を行う（Ｓ８０４）。一方、クイックレビューフラグが解除されていたときは何もしない。なお、Ｓ１３４でクイックレビューを開始してからＳ１３６でシャッタースイッチＳＷ２が開放されるまでの時間がミニマムレビュー時間（上記の所定時間）を超えている場合は、シャッタースイッチＳＷ２が開放された直後クイックレビューを終了する。
【００８５】
なお、上述した実施形態の説明に於いては、画像表示部28をOFFする場合に、画像表示部28を構成する全ての要素をOFFするとして説明したが、画像表示部28の要素の一部をOFFするだけでも勿論問題ない。この場合でも、撮影画像の確認と省電力を共に行う機能を備えることが出来る。例えば、画像表示部28がLCDとバックライトから構成されている場合、LCDがONのままバックライトのみをOFFしても、撮影画像の確認と省電力を共に行う機能を備えることが出来る。
【００８６】
また、画像表示ON/OFFスイッチ66とクイックレビューON/OFFスイッチ68は、それぞれ独立した構成として説明したが、画像表示ON/OFFスイッチ66とクイックレビューON/OFFスイッチ68を一つの兼用スイッチとしてまとめ、画像表示ON/クイックレビューのみ画像表示ON/画像表示OFFの3ポジションを備える構成としても勿論問題ない。
【００８７】
そして、画像表示部28によるクイックレビュー表示を終える指示を行った際に、最低時間クイックレビュー表示を継続するミニマムレビュー時間の経過を判断するとして説明したが、ミニマムレビュー時間を設定しない構成としても勿論問題無い。この場合図3に於いて、S137でのミニマムレビュー時間の経過を判断する処理を除去したフローチャートとすれば良い。
【００８８】
また、スルー表示とクイックレビュー表示を行うそれぞれ専用の画像表示部を備える構成として、それらの表示部のON/OFFを画像表示ON/OFFスイッチ及びクイックレビューON/OFFスイッチの設定に応じて行う構成としても構わない。この場合も、撮影画像の確認と省電力を共に行う機能を備えることが出来る。
【００８９】
そして、画像表示ON/OFFスイッチがONの場合はクイックレビューON/OFFスイッチの設定に関わらず撮影直後のクイックレビュー表示を行うものとして説明を行ったが、画像表示ON/OFFスイッチがONの場合にクイックレビューON/OFFスイッチの設定に応じてクイックレビュー表示を行うか否かを決定するようにしても構わない。
【００９０】
また、上述した実施形態の説明においては、クイックレビューON/OFFスイッチを持った構成として説明したが、クイックレビューON/OFFスイッチを持たない構成としても勿論問題無い。クイックレビューON/OFFスイッチを持たない構成の場合は、図２において、クイックレビューSW判定(S110)、クイックレビューフラグ設定(S111) 、クイックレビューフラグ解除(S112)、および図3・図8においてクイックレビューフラグ判定(S132、S803)の処理を除去したフローチャートとすれば良い。この場合は、光学ファインダー使用時に連写撮影を行ったときのみ撮影後クイックレビューが表示されない。単写撮影時、および電子ファインダー使用時には撮影後クイックレビューが表示される。
【００９１】
なお、記録媒体200及び210は、PCMCIAカードやコンパクトフラッシュ等のメモリカード、ハードディスク等だけでなく、マイクロDAT、光磁気ディスク、CD-RやCD-WR等の光ディスク、DVD等の相変化型光ディスク等で構成されていても勿論問題無い。また、メモリカードとハードディスク等が一体となった複合媒体であっても勿論問題無い。さらに、その複合媒体から一部が着脱可能な構成としても勿論問題無い。
【００９２】
また、上述した実施形態の説明に於いては、記録媒体200及び210は画像処理装置100と分離していて任意に接続可能なものとして説明したが、いずれか或いは全ての記録媒体が画像処理装置100に固定したままとなっていても勿論問題無い。
【００９３】
また、画像処理装置100に記録媒体200或いは210が単数或いは複数の任意の個数接続可能な構成であっても構わないし、記録媒体自体が単数或いは複数の何れの組み合わせの構成であっても、勿論問題無い。
【００９４】
【発明の効果】
以上説明した様に本発明によれば、撮影した被写体の画像を撮影直後に再生表示するクイックレビュー機能と被写体の画像を連続して撮影する連写モードとが選択されている場合、連写モードのそれぞれの撮影直後にはクイックレビューを行わないことにより、被写体の構図を決めるため光学ファインダーを覗いている際に、カラー液晶パネル等を見ることが困難であるにも関わらず、一枚撮影が完了するたびに無意味なクイックレビューが表示されることがない。
【００９５】
光学ファインダーを用いて連写撮影を行う場合、クイックレビューを表示しないことによって、覗いている光学ファインダー近傍に有るカラー液晶パネルが点灯せず、目に液晶パネル等の光が入らないために、撮影に集中することが可能となる。
【００９６】
光学ファインダーを用いて連写撮影を行う場合、クイックレビューを表示しないことによって、省電力を図り、また、より高速に連写撮影を行うことが可能となる。
【００９７】
一方、光学ファインダーを用いて単写撮影を行う場合や、電子ファインダーを用いて撮影を行う場合には、クイックレビュー表示を行い、撮影した画像を撮影直後に再生表示する画像処理装置を提供することが可能となる。
【図面の簡単な説明】
【図１】画像処理装置の構成を示すブロック図である。
【図２】画像処理装置の動作を示す主ルーチンの一部を表わすフローチャートである。
【図３】画像処理装置の動作を示す主ルーチンの一部を表わすフローチャートである。
【図４】測距・測光ルーチンのフローチャートである。
【図５】撮影ルーチンのフローチャートである。
【図６】記録ルーチンのフローチャートである。
【図７】画像処理装置の筐体の背面図である。
【図８】ミニマムレビュー表示ルーチンのフローチャートである。
【符号の説明】
１０  撮影レンズ
１２  シャッター
１４  撮像素子
２０  画像処理回路
２２  メモリ制御回路
２４  画像表示メモリ
２８  画像表示部
３０  メモリ
３２  画像圧縮・伸長回路
４０  露光制御回路
４２  測距制御回路
５０  システム制御回路
５２  メモリ
５４  表示部
５６  不揮発性メモリ
６０  モードダイアルスイッチ
６２  シャッタースイッチＳＷ１
６３  シャッタースイッチ
６４  シャッタースイッチＳＷ２
６６  画像表示ＯＮ／ＯＦＦスイッチ
６８  クイックレビューＯＮ／ＯＦＦスイッチ
７０  操作部
８０  電源制御回路
８６  電源
１００  画像処理装置
１０４  光学ファインダ
【図１】
0004481428.tif 000002
【図２】
0004481428.tif 000003
【図３】
0004481428.tif 000004
【図４】
0004481428.tif 000005
【図５】
0004481428.tif 000006
【図６】
0004481428.tif 000007
【図７】
0004481428.tif 000008
【図８】
0004481428.tif 000009